(57)【要約】【課題】再転写式プリンタを効率よく冷却すること。【解決手段】ＩＣカード６０に印刷を行う再転写式印刷機構部２０と、この再転写式印刷機構部を収納した筐体４０とを備えている。筐体４０の外面に、ハニカム状の放熱凸部４４が形成されている。【選択図】図１
2008201047.tif 000002
【特許請求の範囲】
【請求項１】
転写フィルムに画像を印刷する印刷部と前記転写フィルムに印刷された画像を印刷媒体に転写する転写部とを有する再転写式印刷機構部と、
内部に前記再転写式印刷機構部を収容した筐体と、
を備え、
前記筐体の外面の少なくとも一部に、ハニカム状の放熱凸部が形成された、再転写式プリンタ。
【請求項２】
請求項１記載の再転写式プリンタであって、
前記筐体に設けられた冷却通路部と、
前記冷却通路部に冷却媒体を供給する冷却媒体供給部と、
をさらに備えた再転写式プリンタ。
【発明の詳細な説明】
【技術分野】
【０００１】
この発明は、ＩＣカード等に再転写方式にて印刷を行う再転写式プリンタに関する。
【背景技術】
【０００２】
ＩＣカード等に印刷を行うプリンタとして、再転写式による印刷方式を採用したものがある。
【０００３】
再転写式印刷方式では、まず、サーマルヘッドによって転写フィルムに画像を印刷し、その後、転写フィルムに印刷された画像をヒートローラによって印刷対象物に転写する。
【０００４】
このような再転写式印刷方式は、印刷対象物の表面に多少の凹凸があっても印刷容易であり、しかも、印刷対象物の材質に関する制約が少ないという利点がある。
【発明の開示】
【発明が解決しようとする課題】
【０００５】
しかしながら、再転写式プリンタでは、画像印刷用のサーマルヘッドに加えて、画像転写用のヒートローラや転写フィルムの移動機構等が必要であり、多くの発熱部品を必要とする。このため、再転写式プリンタ内部の温度が上昇し易いという問題がある。そして、再転写式プリンタ内部の温度が上昇してしまうと、印刷対象物に熱的な悪影響を与えてしまう恐れ、例えば、ＩＣカードに内蔵されたＩＣチップが熱で破壊してしまう恐れがあった。
【０００６】
そこで、本発明は、再転写式プリンタを効率よく冷却することを目的とする。
【課題を解決するための手段】
【０００７】
上記課題を解決するため、この再転写式プリンタは、転写フィルムに画像を印刷する印刷部と前記転写フィルムに印刷された画像を印刷媒体に転写する転写部とを有する再転写式印刷機構部と、内部に前記再転写式印刷機構部を収容した筐体と、を備え、前記筐体の外面の少なくとも一部に、ハニカム状の放熱凸部が形成されたものである。
【０００８】
なお、前記筐体に設けられた冷却通路部と、前記冷却通路部に冷却媒体を供給する冷却媒体供給部と、をさらに備えていてもよい。
【発明の効果】
【０００９】
この再転写式プリンタによると、前記筐体の外面の少なくとも一部に、ハニカム状の放熱凸部が形成されているため、その放熱凸部によって効率よく冷却することができる。特に、放熱凸部はハニカム状に形成されているため、放熱面積を大きくして、効率よく冷却できる。
【００１０】
また、前記筐体に設けられた冷却通路部と、前記冷却通路部に冷却媒体を供給する冷却媒体供給部とをさらに備えていると、その冷却媒体によってより効率よく冷却できる。
【発明を実施するための最良の形態】
【００１１】
以下、実施形態に係る再転写式プリンタについて説明する。図１は再転写式プリンタを示す説明図であり、図２は再転写式プリンタ内部の再転写式印刷機構部を示す説明図である。
【００１２】
この再転写式プリンタ１０は、印刷媒体としてのＩＣカード６０に印刷を行う再転写式印刷機構部２０と、筐体４０とを備えている。なお、印刷媒体は、ＩＣカード６０に限らず、その他、磁気カード等、再転写式で印刷される種々の媒体であってもよい。
【００１３】
再転写式印刷機構部２０は、カード搬送部２２と、印刷部２５と、転写部３２とを有しており、これらは筐体４０内部の適宜位置に配設され、図示省略の印刷制御部の制御下印刷動作を行う。
【００１４】
カード搬送部２２は、筐体４０に設けられたカード挿入口４２を通じて外部より挿入されたＩＣカード６０を搬送する機構である。ここでは、カード搬送部２２は、カードガイドローラ２３ａと、カード搬送ローラ２３ｂと、カード搬送駆動部２４とを有している。カードガイドローラ２３ａは、所定のカード搬送路Ｐに沿って間隔をあけて複数配設されている。また、この各カードガイドローラ２３ａに対向して複数のカード搬送ローラ２３ｂが配設されている。また、カード搬送駆動部２４は、電動モータ等によって構成されており、無端環状の駆動ベルト２４ａを介して各カード搬送ローラ２３ｂを回転させるようになっている。そして、各カード搬送ローラ２３ｂが回転することで、各カード搬送ローラ２３ｂと各カードガイドローラ２３ａとの間で、ＩＣカード６０がカード搬送路Ｐに沿って搬送されるようになっている。
【００１５】
印刷部２５は、転写フィルム３９に転写用の画像を印刷する機構である。ここでは、印刷部２５は、インクフィルム収容部２６と、インクフィルム巻取部２７と、インクフィルム巻取駆動部２８と、サーマルヘッド２９と、プラテンローラ３０とを有している。
【００１６】
インクフィルム収容部２６は、インクフィルム３８を巻回収容しており、本インクフィルム収容部２６から引出されたインクフィルム３８は、補助ガイド３８ａでガイドされつつ、サーマルヘッド２９及びプラテンローラ３０間を経由して、インクフィルム巻取部２７に案内されている。
【００１７】
また、インクフィルム巻取駆動部２８は、電動モータ等によって構成されており、無端環状の駆動ベルト２８ａを介してインクフィルム巻取部２７を回転させるようになっている。そして、インクフィルム巻取部２７を回転させることで、インクフィルム収容部２６に巻回収容されたインクフィルム３８が逐次インクフィルム巻取部２７に巻取られるようになっている。なお、このインクフィルム巻取駆動部２８は、駆動ベルト２８ａやギヤ機構等を介して後述する転写フィルム収容部３３をも回転させている。
【００１８】
また、サーマルヘッド２９は、インクフィルム３８の搬送路の途中であって当該インクフィルム３８の反インク面側に対向配置されている。また、プラテンローラ３０は、インクフィルム３８及び転写フィルム３９を挟んでサーマルヘッド２９に対向配置されている。そして、図示省略の印刷制御部の制御下、サーマルヘッド２９に印刷動作を行わせることで、印刷画像に応じてインクフィルム３８のインクが転写フィルム３９に転写されるようになっている。
【００１９】
転写部３２は、転写フィルム３９に印刷された画像をＩＣカード６０に転写する機構である。ここでは、転写部３２は、転写フィルム収容部３３と、転写フィルム巻取部３４と、ヒートローラ３５と、転写フィルム巻取駆動部３６とを有している。
【００２０】
転写フィルム収容部３３は、転写フィルム３９を巻回収容しており、本転写フィルム収容部３３から引出された転写フィルム３９は、プラテンローラ３０とサーマルヘッド２９との間からヒートローラ３５を経由して、適宜補助ガイド３９ａでガイドされつつ、転写フィルム巻取部３４に向けて案内されている。
【００２１】
また、転写フィルム巻取駆動部３６は、電動モータ等によって構成されており、無端環状の駆動ベルト３６ａ，３６ｂを介して、プラテンローラ３０及び転写フィルム巻取部３４を回転させるようになっている。そして、転写フィルム巻取部３４を回転させることで、転写フィルム収容部３３に巻回収容された転写フィルム３９が逐次転写フィルム巻取部３４に巻取られるようになっている。
【００２２】
また、ヒートローラ３５は、カード搬送路Ｐの途中であってＩＣカード６０に対して転写フィルム３９を挟んで対向する位置に配設されている。このヒートローラ３５は通電によって発熱する発熱体を内蔵している。そして、転写フィルム３９のうち上記転写部３２にて画像が転写された部分をＩＣカード６０の一主面に押え付けつつ加熱することで、当該転写フィルム３９に転写された画像をＩＣカード６０の一主面に再転写して印刷するようになっている。
【００２３】
なお、上記ヒートローラ３５及びサーマルヘッド２９は、電動モータ等によって構成される移動駆動部３７によって、インクフィルム３８や転写フィルム３９に接離移動するように移動可能に構成されている。
【００２４】
このような再転写式印刷機構部２０では、本来的な機能からして発熱する部品として、サーマルヘッド２９とヒートローラ３５とを有している。また、各カード搬送駆動部２４やインクフィルム巻取駆動部２８、転写フィルム巻取駆動部３６、移動駆動部３７等の駆動部品も熱を発する部品である。このため、本再転写式プリンタ１０では、これらから発生する熱を如何に放熱するかが重要となる。
【００２５】
筐体４０は、金属板等で略直方体の筺状に形成されている。この筐体４０の外面にＩＣカード６０の挿入口４２が形成されている。なお、筐体４０には、図示を省略する、ＩＣカード６０の排出口やパーソナルコンピュータ等との接続用の各種インターフェースが設けられている。
【００２６】
図３は筐体を示す要部断面図である。図１及び図３に示すように、この筐体４０の外面には、ハニカム状の放熱凸部４４が形成されている。より具体的には、底面板を除く４つの側面及び上面にハニカム状の放熱凸部４４が形成されている。放熱凸部４４は、基端部から先端部に向けて略等幅の仕切壁状に形成されている。放熱凸部４４は、筐体４０を構成する板部材に溶接等で後付けして一体化したものであってもよいし、プレス成形等で筐体４０を構成する板部材と一体形成したものであってもよい。また、図１では、放熱凸部４４を一部省略しているが、側面及び上面のほぼ全体に形成している。もっとも、放熱凸部４４は、必ずしも側面や上面のほぼ全体に形成する必要はなく、その一部に形成されていてもよい。
【００２７】
この再転写式プリンタ１０では、上記ハニカム状の放熱凸部４４によって、筐体４０の外表面積を増大させることができる。これにより、当該放熱凸部４４から外気に放熱することによって、効率よく冷却することができる。しかも、放熱凸部４４はハニカム状に形成されているため、外表面積を特に大きくすることができ、この点からも効率のよい冷却を期待できる。また、放熱凸部４４はハニカム状に形成されているため、筐体４０の強度も強くすることができる。
【００２８】
また、この再転写式プリンタでは、さらなる冷却を図るため、筐体４０に設けられた冷却通路部５０と、その冷却通路部５０に冷却媒体を供給する冷却媒体供給部５２とを設けている。
【００２９】
冷却通路部５０は、ここでは、筐体４０の内面に略Ｓ字状を繰返すようにして取付けらた管状部材とされている。冷却通路部５０の両端口部は、筐体４０の外部に導出されている。
【００３０】
冷却媒体供給部５２は、冷却媒体としての冷却液体を循環させるポンプ部５３と、冷却液体を一時的に貯留するタンク部５４と、冷却液体を冷却する冷却部５５と、これら及び上記冷却通路部５０の両端口部間を適宜接続して冷却液体を通流させる配管５６とを有している。
【００３１】
上記冷却部５５は、放熱フィン等を有しており、冷却液体を強制冷却する。冷却部５５としては、その他、ベルチェ素子等で冷却液体を冷却する構成であってもよい。また、冷却部５５を省略し、冷却液体を筐体４０外で自然冷却するようにしてもよい。
【００３２】
そして、冷却液体は、冷却部５５で冷却された後、一旦タンク部５４に貯留される。そして、タンク部５４内の冷却液体がポンプ部５３により再度冷却通路部５０に送込まれる。このようにして、冷却液体が、上記各部を循環するようになっている。
【００３３】
これらの冷却通路部５０及び冷却媒体供給部５２によって、筐体４０内をより効率よく冷却することができる。
【００３４】
なお、これらの冷却媒体供給部５２は、筐体４０に内蔵されていてもよい。
【００３５】
｛変形例｝
なお、上記実施形態では、冷却通路部５０を筐体４０の内面に沿って取付けた構成としているが、図４に示すように、冷却通路部１５０を筐体４０内に埋設してもよい。要するに、冷却通路部としては、筐体４０に沿って配設された全ての通路を含む。
【００３６】
また、上記実施形態では、放熱凸部４４は、基端部から先端部に向けて略等幅の仕切壁状に形成されているが、当該形状に限るものではない。
【００３７】
例えば、図５に示す放熱凸部１４４のように、基端部から先端部に向けて順次幅が小さくなる断面略三角状の壁状に形成されていてもよい。
【００３８】
また、図６に示す放熱凸部２４４のように、基端部から先端部に向けて順次幅が小さくなる断面略三角状の外面形状に形成されると共に、内面側に当該形状に応じた略三角状の溝状が形成された構成であってもよい。図６に示す構成は、金属板等をプレス成形して放熱凸部２４４を形成するのに適した形状である。
【図面の簡単な説明】
【００３９】
【図１】実施形態に係る再転写式プリンタを示す説明図である。
【図２】同上の再転写式プリンタ内部の再転写式印刷機構部を示す説明図である。
【図３】筐体を示す要部断面図である。
【図４】冷却通路部の変形例を示す図である。
【図５】放熱凸部の変形例を示す図である。
【図６】放熱凸部の他の変形例を示す図である。
【符号の説明】
【００４０】
１０  再転写式プリンタ
２０  再転写式印刷機構部
２２  カード搬送部
２５  印刷部
３２  転写部
３９  転写フィルム
４０  筐体
４４，１４４，２４４  放熱凸部
５０，１５０  冷却通路部
５２  冷却媒体供給部
６０  ＩＣカード
【図１】
2008201047.tif 000003
【図２】
2008201047.tif 000004
【図３】
2008201047.tif 000005
【図４】
2008201047.tif 000006
【図５】
2008201047.tif 000007
【図６】
2008201047.tif 000008